(57)【要約】【課題】容器の向きに特に注意を払わなくても体液が排出される恐れがなく容易に取り扱うことができる。【解決手段】筒状の側壁２ａおよび該側壁２ａの両端を閉塞する端壁２ｂ，２ｃを有する容器本体２と、一方の端壁２ｂの略重心位置に設けられ、容器本体２内を減圧状態に排気する排気口３と、他方の端壁２ｃの略重心位置に設けられ、体液が流入させられる流入口４とを備える吸引容器１を提供する。【選択図】図１
2012135351.tif 000002
【特許請求の範囲】
【請求項１】
筒状の側壁および該側壁の両端を閉塞する端壁を有する容器本体と、
一方の前記端壁の略重心位置に設けられ、前記容器本体内を減圧状態に排気する排気口と、
他方の前記端壁の略重心位置に設けられ、体液が流入させられる流入口とを備える吸引容器。
【請求項２】
前記他方の端壁が、前記側壁および流入口と連続し、前記側壁に略直交して平坦にまたは前記側壁から前記流入口に向かって漸次先細に形成された内面を有している請求項１に記載の吸引容器。
【請求項３】
前記側壁が、円筒状または多角筒状である請求項１または請求項２に記載の吸引容器。
【請求項４】
前記他方の端壁が、テーパ状である請求項１から請求項３のいずれかに記載の吸引容器。
【請求項５】
前記排気口が、前記一方の端壁から、該一方の端壁と前記他方の端壁との間の途中位置まで延びた管状である請求項１から請求項４のいずれかに記載の吸引容器。
【請求項６】
前記排気口は、前記一方の端壁から、前記側壁の長さ方向の寸法の４分の１以上２分の１以下の距離まで延びている請求項５に記載の吸引容器。
【請求項７】
前記排気口が、前記一方の端壁の内側において、前記流入口に対して異なる方向を向いて開口している請求項５または請求項６に記載の吸引容器。
【発明の詳細な説明】
【技術分野】
【０００１】
本発明は、吸引容器に関するものである。
【背景技術】
【０００２】
従来、カテーテルと吸引チューブとの間に接続され、カテーテルを介して吸引した体液を貯留する容器が知られている（例えば、非特許文献１参照。）
【先行技術文献】
【非特許文献】
【０００３】
【非特許文献１】”アトム羊水吸引カテーテル”、［ｏｎｌｉｎｅ］、２００７年７月６日、アトムメディカル株式会社、［平成２２年５月１７日検索］、インターネット＜ＵＲＬ：http://www.atomed.co.jp/tmp/pdf/dis/YousuiKyuinCatheter_1.pdf＞
【発明の概要】
【発明が解決しようとする課題】
【０００４】
しかしながら、非特許文献１の容器の場合、容器が傾いたり倒れたりすると、内部に吸引した体液が吸引チューブ内に排出されてしまうので、操作者は、体液の吸引と同時に容器を常に一定の方向に向けるように注意を払いわなければならない。特に、操作者が一方の手に容器を持ち、他方の手でカテーテルを操作する場合には、カテーテルの操作に集中することが困難であり、取り扱いが容易でないという不都合がある。
【０００５】
本発明は、上述した事情に鑑みてなされたものであって、容器の向きに特に注意を払わなくても体液が排出される恐れがなく容易に取り扱うことができる吸引容器を提供することを目的とする。
【課題を解決するための手段】
【０００６】
上記目的を達成するため、本発明は以下の手段を提供する。
本発明は、筒状の側壁および該側壁の両端を閉塞する端壁を有する容器本体と、一方の前記端壁の略重心位置に設けられ、前記容器本体内を減圧状態に排気する排気口と、他方の前記端壁の略重心位置に設けられ、体液が流入させられる流入口とを備える吸引容器を提供する。
【０００７】
本発明によれば、体腔内に挿入されたカテーテルなどを流入口に接続し、シリンジなどの吸引手段を排気口に接続し、吸引手段により排気口から容器本体内を排気することにより、体腔内の体液をカテーテルなどを介して容器本体内に吸引して貯留させることができる。
【０００８】
この場合に、操作者が吸引手段を操作するときに、通常の使用方法においては、吸引手段の接続されている一方の端壁が下方に向けられることはなく、容器本体は側壁を略水平にしてまたは他方の端壁を下方に向けて配置される。そのため、容器本体が側壁を略水平にして配置されても、その周方向の向きに依らずに排気口の下方に十分な収容空間が確保されるので、容器の向きに特に注意を払わなくても体液が排出される恐れがなく容易に取り扱うことができる。
【０００９】
上記発明においては、前記他方の端壁が、前記側壁および流入口と連続し、前記側壁に略直交して平坦にまたは前記側壁から前記流入口に向かって漸次先細に形成された内面を有していてもよい。
このようにすることで、体液の吸引後、カテーテルなどを取り外した流入口を下方に向けて他の容器内などに設置した状態で、容器本体の上側に配置された排気口を大気圧に開放するまたは排気口から容器本体内を加圧するだけで、体液が他方の端壁の内面に沿って滑らかに流入口から他の容器内などに排出される。これにより、容器本体内に採取した体液を他の容器などに容易に移し替えることができる。
【００１０】
また、上記発明においては、前記容器本体の側壁が、円筒状または多角筒状であってもよい。
このようにすることで、容器本体の形状を簡略にすることができる。また、排気口および流入口が各端壁の略重心位置に設けられている場合には、吸引時の容器本体の周方向の方向性がよりなくなるので、さらに取り扱いを容易にすることができる。
【００１１】
また、上記発明においては、前記他方の端壁が、テーパ状であってもよい。
このようにすることで、容器本体内の体液をより効率良く排出することができる。
また、上記発明においては、前記排気口が、前記一方の端壁から、該一方の端壁と前記他方の端壁との間の途中位置まで延びた管状であってもよい。
このようにすることで、一方の端壁を下方に向けて容器本体を載置したときに、一方の端壁より高い位置に排気口が配置されるので、容器本体内に貯留した体液が一定量以下の場合には排気口から漏れることを防ぐことができる。
【００１２】
また、上記発明においては、前記排気口は、前記一方の端壁から、前記側壁の長手方向の長さの４分の１以上２分の１以下の距離まで延びていることが好ましい。
このようにすることで、容器本体をいずれの方向に向けても、体液が一定量以下の場合には、体液の液面より上方に排気口が配置されるので、体液が排出されることをさらに確実に防止することができる。
【００１３】
また、上記発明においては、前記排気口が、前記一方の端壁の内側において、前記流入口に対して異なる方向を向いて開口していてもよい。
このようにすることで、体液が流入口から容器本体内に流入したときに飛沫しても、その飛沫が排気口から容器本体外に排出されることを防止することができる。
【発明の効果】
【００１４】
本発明によれば、容器の向きに特に注意を払わなくても体液が排出される恐れがなく容易に取り扱うことができるという効果を奏する。
【図面の簡単な説明】
【００１５】
【図１】本発明の一実施形態に係る吸引容器の全体構成を示す（ａ）縦断面図および（ｂ）正面図である。
【図２】排気管の長さの範囲を導出するための変数を示した図である。
【図３】図１の吸引容器内に体液を吸引するときの使用方法を説明する図である。
【図４】図１の吸引容器内に採取した体液を他の容器に移し替えるときの使用方法を説明する図である。
【図５】図１に示される容器本体の変形例を示す図である。
【図６】図１に示される容器本体のもう１つの変形例を示す図である。
【図７】図１に示される容器本体のもう１つの変形例を示す図である。
【図８】図１の排気口の変形例を示す図である。
【発明を実施するための形態】
【００１６】
以下に、本発明の一実施形態に係る吸引容器１について図面を参照して説明する。
本実施形態に係る吸引容器１は、図１（ａ），（ｂ）に示されるように、筒状の側壁２ａおよび該側壁２ａの両端を閉塞する端壁２ｂ，２ｃを有する筒状の容器本体２と、該容器本体２の一方の端壁２ｂの略中心位置に設けられた排気口３と、容器本体２の他方の端壁２ｃの略中心位置に設けられた流入口４とを備えている。
【００１７】
容器本体２の側壁２ａは、円形の横断面形状を有し略一定の内径寸法を有する直筒状のである。また、側壁２ａは、容器本体２の長さ方向の寸法に対する外径寸法の比が１以上に形成されている。これにより、容器本体２の容積に対して側壁２ａから排気口３までの距離が十分に確保され、容器本体２を側壁の略水平にして配置しても、十分な量の体液を排気口３から排出されることなく収容することができる。
【００１８】
容器本体２の一方の端壁２ｂ（以下、平端壁２ｂという。）は、側壁２ａに略垂直に平坦に形成され、他方の端壁２ｃ（以下、テーパ端壁２ｃという。）は、その略中心に向かって直線的に漸次先細になるテーパ状に形成されている。また、各端壁２ｂ，２ｃの内面と側壁２ａの内面とは互いに連続している。
【００１９】
容器本体２を構成する材料としては、生体試料に対して安定であり十分に丈夫な材料であればよく、例えば、ポリスチレンやプリプロピレンなどが好ましい。また、容器本体２は、内部に収容された体液を外側から観察できるように、透明または半透明であることが好ましい。容器本体２の内面は、体液が付着することによる排出時の体液の残留を防ぐために、撥水加工が施されていてもよい。
【００２０】
排気口３は、平端壁２ｂから容器本体２の内側に向かって略垂直に延びた管状であり、平端壁２ｂとテーパ端壁２ｃとの間の途中位置に、開口を有する先端面が配置されている。
流入口４は、テーパ端壁２ｃの頂点部分に設けられている。これにより、排気口３を開放した状態で、または、排気口３から容器本体２内を加圧した状態で流入口４を下方に向けるだけで、容器本体２内に収容された体液を、側壁２ａおよびテーパ端壁２ｃの内面に沿って滑らかに流入口４から排出させることができる。
【００２１】
また、排気口３および流入口４は各端壁２ｂ，２ｃの外側に突出して形成され、排気口３にはシリンジや吸引チューブなどの吸引手段を、流入口４にはカテーテルを、それぞれ接続可能になっている。
【００２２】
ここで、排気口３の、平端壁２ｂから容器本体２内の先端面までの長さは、側壁２ａの長さ方向の寸法（高さ）の１／４以上１／２以下であることが好ましい。このようにすることで、容器本体２を平端壁２ｂを下に向けて配置しても、体液の液面よりも上方に排気口３の先端面を配置させることができる。
【００２３】
なお、上記の排気口３の長さの範囲は、以下のようにして導出される。
図２に示されるように、平端壁２ｂを底面としたときの側壁２ａの半径をｘ、側壁２ａの高さをｙ、テーパ端壁２ｃの高さをｚとする。一方、容器本体２を側壁２ａを水平にして配置したときに、体液Ａの液面が排気口３に達するまで容器本体２内に体液を貯留できる。このときの体液Ａの体積は、容器本体２の体積の約半分となり、この体積を容器本体２の最大容量とする。
【００２４】
容器本体２内に最大容量まで体液Ａを貯留した状態で平端壁２ｂを下方に向けて容器本体２を載置したときの体液Ａの液面の高さｈは、（ｙ＋ｚ／３）／２となる。ここで、テーパ端壁２ｃにより形成された円錐状の空間を小さくしたときに、すなわち、ｚをゼロに近づけたときに、液面の高さｈはｙ／２に近づく。すなわち、テーパ端壁２ｃの形状によらず、排気口３が側壁２ａの長さ寸法の少なくとも１／２あれば、平端壁２ｂを下に向けて容器本体２を配置しても、排気口３から体液が排出されることを防ぐことができる。
【００２５】
一方、円錐状の空間を大きくしたときに、すなわち、ｙに対してｚを十分に大きくしたときに、液面の高さｈはｙ／６に近づく。しかし、使用時の取り扱いやすさの点から、テーパ端壁２ｃの高さｚは側壁２ａの高さｙの３倍以内に設計されることが好ましく、テーパ端壁２ｃの高さｚを側壁２ａの高さｙの３倍にしたときの液面の高さｈはｙ／４となる。すなわち、円錐状の空間を最大に設計しても、排気口３が少なくとも側壁２ａの長さ寸法の１／４あれば、排気口３から体液が排出されることを防ぐことができる。
【００２６】
ここで、容器本体２の各壁２ａ，２ｂ，２ｃの厚さは、各寸法ｘ，ｙ，ｚに対して十分に薄いため、上述の計算においては無視できるものとする。
なお、平端壁２ｂから容器本体２内の先端面までの排気口３の長さは、平端壁２ｂの長さ方向の寸法の１／３以上１／２以下がより好ましく、２／５以上１／２以下がさらに好ましい。
【００２７】
具体的には、最大容量が５０ｍｌの容器本体２を製造する場合、側壁２ａの半径ｘを２．５ｃｍ、側壁２ａの高さｙを５ｃｍ、テーパ端壁２ｃの高さｚを１ｃｍにする。このときに、排気口３の平端壁２ｂから容器本体２内の先端面までの長さを２．５ｃｍにすることにより、容器本体２のいずれの面を下に向けても体液Ａの液面が排気口３の先端面の下方に配置させることができる。
【００２８】
このように構成された本実施形態に係る吸引容器１の使用方法および作用について以下に説明する。
本実施形態に係る吸引容器１を使用して体液を採取するには、図３に示されるように、排気口３に吸引手段であるシリンジ５を接続し、流入口４にカテーテル６を接続する。そして、カテーテル６を体腔内に挿入し、シリンジ５のプランジャ５ａを引くことにより排気口３から容器本体２内の空気を排気して減圧状態にする。これにより、カテーテル６内を吸引されてきた体液を容器本体２内に貯留させることができる。
【００２９】
また、このようにして容器本体２内に体液Ａを採取した後、例えば、図４に示されるように、カテーテル６を取り外した流入口４を下に向けて他の容器７内に挿入し、プランジャ５ａを押すことにより、容器本体２内の体液Ａを十分に流入口４から他の容器７内に移し替えることができる。
【００３０】
この場合に、本実施形態によれば、容器本体２がどのような向きで配置されても、内部に収容された体液の液面の上方に排気口３の先端面の開口が配置されるので、体液が排気口３から排出される恐れがない。したがって、操作者が一方の手でカテーテル６を操作し、他方の手で容器本体２とシリンジ５を保持しながらプランジャ５ａを操作する場合でも、容器本体２の向きに注意を払う必要がないので、カテーテル６とプランジャ５ａの操作にのみ集中することが可能になり、取り扱いを容易にすることができるという利点がある。
【００３１】
また、体液を他の容器７に移し替えるときには、簡便な操作のみで容器本体２内を開放することなく移し替えることができるので、体液が容器本体２の外側にこぼれたりする不都合を防止することができる。
【００３２】
なお、上記実施形態においては、容器本体２の側壁２ａが、円形の横断面形状を有する円筒状であることとしたが、側壁２ａの形状はこれに限定されるものではなく、多角形、好ましくは正多角形の横断面形状を有する多角筒状であってもよい。このようにしても、容器本体２がその中心軸線に対して回転対象な形状を有するので、吸引時の容器本体２の向きに注意を払う必要がなく、上述した実施形態と同様の効果を得ることができる。
【００３３】
また、上記実施形態においては、テーパ端壁２ｃが、側壁２ａから流入口４に向かって直線状に形成されていることとしたが、これに代えて、湾曲して形成されていてもよい。例えば、図５に示されるように、テーパ端壁２ｃの内面が窪んでいてもよく、図６に示されるように、テーパ端壁２ｃの内面が盛り上がっていてもよい。また、両方の端壁が、図７に示されるように、側壁２ａに対して略垂直に平坦に形成された平端壁２ｂであってもよい。
このようにしても、流入口４から体液を排出させる際に、体液が容器本体２内に取りこぼされるのを防いで十分に効率良く排出させることができる。
【００３４】
また、上記実施形態においては、排気口３が、流入口４に対して側方または後方を向いて開口していてもよい。例えば、図８に示されるように、排気口３が、途中位置で屈曲して流入口４に対して９０°側方を向いて形成されていてもよい。
このようにすることで、流入口４から容器本体２内に吸引されてきた体液が吸引の勢いなどで飛沫しても、その体液の飛沫が排気口３内に直接侵入して排出されてしまうことを防ぐことができる。
【実施例】
【００３５】
次に、上述した実施形態の実施例について説明する。
〔実施例１〕
図１に示されるような、平端壁とテーパ端壁を有する容器本体を備えた実施例１に係る吸引容器を作成した。側壁の半径を１ｃｍ、側壁の長さ方向の寸法を２ｃｍ、テーパ端壁の中心軸方向の寸法を１ｃｍとした。また、平端壁の略中心位置から内側に略垂直に延びる０．６７ｃｍの長さの排気口を設けた。
【００３６】
このように作成された本実施例に係る吸引容器の流入口にカテーテルを接続し、排気口ンにシリンジを接続した。そして、体内に予め挿入された内視鏡のチャネルを介してカテーテルを体内に挿入し、シリンジのプランジャを引くことにより、膵液を体内からカテーテル内を介して容器本体内に吸引した。このときに、容器本体の向きが変わっても、内部に収容された排気口から体液が排出されてしまうことがなく、操作者は容器本体の向きに注意を払わなくても正常に膵液を吸引することができた。
【符号の説明】
【００３７】
１  吸引容器
２  容器本体
２ａ  側壁
２ｂ  平端壁（一方の端壁）
２ｃ  テーパ端壁（他方の端壁）
３  排気口
４  流入口
５  シリンジ
５ａ  プランジャ
６  カテーテル
７  他の容器
【図１】
2012135351.tif 000003
【図２】
2012135351.tif 000004
【図３】
2012135351.tif 000005
【図４】
2012135351.tif 000006
【図５】
2012135351.tif 000007
【図６】
2012135351.tif 000008
【図７】
2012135351.tif 000009
【図８】
2012135351.tif 000010